(57)【要約】【課題】  撮像装置で映像に重畳された補助画像に影響されずに、光源の発光量を制御することが可能な表示装置、表示システム及び表示装置の制御方法を提供する。【解決手段】  本発明の表示装置は、撮像装置により補助画像が重畳された重畳映像の第１映像データと、撮像装置により補助画像が重畳されていない非重畳映像の第２映像データとを、撮像装置から入力する入力手段と、第１映像データに基づき、重畳映像を表示する表示手段と、第２映像データに基づき、表示手段に光を照射する光源の発光量を制御する制御手段と、を備える。【選択図】  図１
2018072760.tif 000002
【特許請求の範囲】
【請求項１】
撮像装置に接続された表示装置であって、
前記撮像装置により補助画像が重畳された重畳映像の第１映像データと、前記撮像装置により補助画像が重畳されていない非重畳映像の第２映像データとを、前記撮像装置から入力する入力手段と、
前記第１映像データに基づき、重畳映像を表示する表示手段と、
前記第２映像データに基づき、前記表示手段に光を照射する光源の発光量を制御する制御手段と、を備える表示装置。
【請求項２】
前記第１映像データを、前記撮像装置から入力する第１入力端子と、
前記第２映像データを、前記撮像装置から入力する第２入力端子と、を備えることを特徴とする請求項１に記載の表示装置。
【請求項３】
前記第１映像データのアンシラリ領域の付加データを検出する検出手段と、
前記検出手段により検出された付加データに基づいて、前記第１映像データと前記第２映像データのうち、前記第２映像データを選択する選択手段と、をさらに備えることを特徴とする請求項１または２に記載の表示装置。
【請求項４】
前記第１映像データと前記第２映像データは、ＳＤＩのフォーマットを有することを特徴とする請求項１から３までのいずれか１項に記載の表示装置。
【請求項５】
撮像装置に接続された表示装置であって、
前記撮像装置により補助画像が重畳された重畳映像の映像データであって、補助画像が重畳されていない非重畳映像の輝度データが付加された映像データを、前記撮像装置から入力する入力手段と、
前記映像データに基づき、重畳映像を表示する表示手段と、
前記輝度データに基づき、前記表示手段に光を照射する光源の発光量を制御する制御手段と、を備える表示装置。
【請求項６】
前記映像データを、前記撮像装置から入力する入力端子を備えることを特徴とする請求項５に記載の表示装置。
【請求項７】
前記映像データのアンシラリ領域の付加データを検出する検出手段と、
前記検出手段により検出された付加データに基づいて、前記重畳映像の輝度データと前記非重畳映像の輝度データのうち、前記非重畳映像の輝度データを選択する選択手段と、をさらに備えることを特徴とする請求項５または６に記載の表示装置。
【請求項８】
前記映像データは、ＳＤＩのフォーマットを有することを特徴とする請求項５から７までのいずれか１項に記載の表示装置。
【請求項９】
前記非重畳映像の輝度データは、αチャンネルに付加されることを特徴とする請求項８に記載の表示装置。
【請求項１０】
前記非重畳映像の輝度データは、アンシラリ領域に重畳されることを特徴とする請求項８に記載の表示装置。
【請求項１１】
撮像装置と、前記撮像装置に接続された表示装置とを含む表示システムであって、
前記撮像装置は、
前記撮像装置により補助画像が重畳された重畳映像の第１映像データと、前記撮像装置により補助画像が重畳されていない非重畳映像の第２映像データとを出力する出力手段を備え、
前記表示装置は、
前記第１映像データと、前記第２映像データとを、前記撮像装置から入力する入力手段と、
前記第１映像データに基づき、重畳映像を表示する表示手段と、
前記第２映像データに基づき、前記表示手段に光を照射する光源の発光量を制御する制御手段と、を備えることを特徴とする表示システム。
【請求項１２】
撮像装置と、前記撮像装置に接続された表示装置とを含む表示システムであって、
前記撮像装置は、
補助画像を重畳した重畳映像の映像データであって、補助画像が重畳されていない非重畳映像の輝度データを付加した映像データを出力する出力手段を備え、
前記表示装置は、
前記映像データを、前記撮像装置から入力する入力手段と、
前記映像データに基づき、重畳映像を表示する表示手段と、
前記輝度データに基づき、前記表示手段に光を照射する光源の発光量を制御する制御手段と、を備えることを特徴とする表示システム。
【請求項１３】
撮像装置に接続された表示装置の制御方法であって、
前記撮像装置により補助画像が重畳された重畳映像の第１映像データと、前記撮像装置により補助画像が重畳されていない非重畳映像の第２映像データとを、前記撮像装置から入力する入力ステップと、
前記第１映像データに基づき、重畳映像を表示手段に表示する表示ステップと、
前記第２映像データに基づき、前記表示手段に光を照射する光源の発光量を制御する制御ステップと、を有する表示装置の制御方法。
【請求項１４】
撮像装置に接続された表示装置の制御方法であって、
前記撮像装置により補助画像が重畳された重畳映像の映像データであって、補助画像が重畳されていない非重畳映像の輝度データが付加された映像データを、前記撮像装置から入力する入力ステップと、
前記映像データに基づき、重畳映像を表示手段に表示する表示ステップと、
前記輝度データに基づき、前記表示手段に光を照射する光源の発光量を制御する制御ステップと、を有する表示装置の制御方法。
【発明の詳細な説明】
【技術分野】
【０００１】
本発明は、光源の発光量を制御可能な表示装置、表示システム及び表示装置の制御方法に関する。
【背景技術】
【０００２】
近年、映像製作分野では、高解像度の画像が得られる撮像センサを備えた撮像装置が使用されるようになってきている。撮像装置のＥｌｅｃｔｒｏｎｉｃ  Ｖｉｅｗ  Ｆｉｎｄｅｒ（以下、ＥＶＦ）や、撮像装置に付属されている小型の表示装置では、画面が小さいので合焦状態を確認し難いことがある。そこで、大型のリファレンス用の表示装置を撮像装置に接続し、撮影中の映像をリファレンス用の表示装置に表示しながら合焦状態を確認して、撮影作業を行うことがある。
【０００３】
リファレンス用の表示装置では、撮像装置から入力される映像データの輝度に応じて、液晶パネルに光を照射するバックライト光源の発光量を制御するディミング処理が行われることがある。このようなディミング処理により、表示装置の高コントラスト化や低消費電力化が実現できる。
【０００４】
特許文献１には、表示装置で生成したＯＳＤ（Ｏｎ  Ｓｃｒｅｅｎ  Ｄｉｓｐｌａｙ）画像を入力映像に重畳して表示する場合に、入力映像の特徴量（輝度レベル等）に関わらず、バックライト光源の発光輝度を一定にすることが開示されている。
【先行技術文献】
【特許文献】
【０００５】
【特許文献１】特開２００５−３２１４２４号公報
【発明の概要】
【発明が解決しようとする課題】
【０００６】
撮像装置で生成したＯＳＤ画像等の補助画像を映像に重畳して表示装置に入力した場合、表示装置は補助画像が重畳された映像に基づいてバックライト光源のディミング処理を行うため、映像単体を表示したときと表示状態が異なってしまうという課題があった。
【０００７】
特許文献１は、表示装置内で生成したＯＳＤ画像等の補助画像を入力映像に重畳する場合を想定しており、撮像装置で生成した補助画像を撮影映像に重畳して表示装置に入力する場合は想定されていない。
【０００８】
そこで、本発明は、撮像装置で映像に重畳された補助画像に影響されずに、光源の発光量を制御することが可能な表示装置、表示システム及び表示装置の制御方法を提供することを目的とする。
【課題を解決するための手段】
【０００９】
上述した課題を解決するために、本発明の一実施形態に係る表示装置は、撮像装置に接続された表示装置であって、撮像装置により補助画像が重畳された重畳映像の第１映像データと、撮像装置により補助画像が重畳されていない非重畳映像の第２映像データとを、撮像装置から入力する入力手段と、第１映像データに基づき、重畳映像を表示する表示手段と、第２映像データに基づき、表示手段に光を照射する光源の発光量を制御する制御手段と、を備える。
【００１０】
本発明の他の実施形態に係る表示装置は、撮像装置に接続された表示装置であって、撮像装置により補助画像が重畳された重畳映像の映像データであって、補助画像が重畳されていない非重畳映像の輝度データが付加された映像データを、撮像装置から入力する入力手段と、映像データに基づき、重畳映像を表示する表示手段と、輝度データに基づき、表示手段に光を照射する光源の発光量を制御する制御手段と、を備える。
【発明の効果】
【００１１】
本発明によれば、撮像装置で映像に重畳された補助画像に影響されずに、光源の発光量を制御することが可能となる。
【図面の簡単な説明】
【００１２】
【図１】実施の形態１に係る表示システムの全体構成を示すブロック図である。
【図２】図１に示した表示システムの動作を説明するためのフローチャートである。
【図３】本実施の形態１による効果を説明するための図である。
【図４】実施の形態２に係る表示システムの全体構成を示すブロック図である。
【図５】図４に示した表示システムの動作を説明するためのフローチャートである。
【図６】実施の形態３に係る表示システムの全体構成を示すブロック図である。
【図７】図６に示した表示システムの動作を説明するためのフローチャートである。
【図８】補助画像が重畳されていない非重畳映像を表示させた画面例を示す図である。
【図９】補助画像が重畳されていない非重畳映像のｍラインからｎラインまでの映像データと、補助画像が重畳された重畳映像のｍライン目の映像データを説明するための図である。
【図１０】各ラインの疑似輝度データを生成する処理について説明するための図である。
【図１１】実施の形態４に係る表示システムの全体構成を示すブロック図である。
【図１２】図１１に示した表示システムの動作を説明するためのフローチャートである。
【図１３】補助画像が重畳されていない非重畳映像のｍラインからｎラインまでの映像データと、補助画像が重畳された重畳映像のｍライン目とｍ＋１ライン目の映像データを説明するための図である。
【図１４】ＯＤＤラインとＥＶＥＮラインの疑似輝度データを生成する処理について説明するための図である。
【発明を実施するための形態】
【００１３】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形（各実施形態の有機的な組合せを含む）が可能であり、それらを本発明の範囲から除外するものではない。即ち、各実施形態及びその変形例を組み合わせた構成も全て本発明に含まれるものである。
【００１４】
なお、以下の説明で使用する用語「映像データ」は、動画像データ、映像信号、映像ストリーム等に読み替えてもよい。また、「輝度データ」は、輝度信号、輝度情報等に読み替えてもよいし、「輝度情報」は、輝度データ、輝度信号等に読み替えてもよい。
【００１５】
（実施の形態１）
まず、撮像装置１００と表示装置２００とで構成される表示システムの全体構成について説明する。図１は、実施の形態１に係る表示システムの全体構成を示すブロック図である。撮像装置１００は、例えば、被写体を撮影して得られた映像データを出力するビデオカメラである。表示装置２００は、撮像装置１００から入力された映像データに基づく映像を画面に表示する。
【００１６】
撮像装置１００は、撮像部１０１、画像処理部１０２、補助画像重畳部１０３及び出力端子１０４，１０５を備える。撮像部１０１は、撮像により得られた映像データを画像処理部１０２に出力する。具体的には、撮像部１０１は、撮像を行うためのＣＭＯＳセンサと、ＣＭＯＳセンサからのアナログ値をデジタル値に変換するＡ／Ｄ変換部と、Ａ／Ｄ変換部からのデジタル値を映像データに変換する処理部とを含む。画像処理部１０２は、撮像部１０１からの映像データにガンマ補正などの階調補正処理、ノイズ低減処理、エッジ強調処理などの画像処理を施す。画像処理部１０２からの映像データは、補助画像重畳部１０３と出力端子１０５に出力される。
【００１７】
補助画像重畳部１０３は、ユーザ指示に応じてメニュー画面等のユーザ操作を補助するためのＯＳＤ画像を生成したり、合焦点枠などの撮影を補助するためのＯＳＤ画像を生成したりする。これらのユーザ操作や撮影を補助するためのＯＳＤ画像は、補助画像重畳部１０３内のグラフィック生成部で生成されるグラフィック画像であり、補助画像と呼ぶ。補助画像重畳部１０３は、ユーザ指示に応じて、画像処理部１０２からの映像データに補助画像を重畳した重畳映像の映像データ、又は画像処理部１０２からの映像データに補助画像を重畳していない非重畳映像の映像データを出力端子１０４に出力する。撮像装置１００から表示装置２００に出力される映像データは、例えば、米国映画テレビ技術者協会（以下、ＳＭＰＴＥ）で定められたＳＤＩ（Ｓｅｒｉａｌ  Ｄｉｇｉｔａｌ  Ｉｎｔｅｒｆａｃｅ）の伝送フォーマットを有する。補助画像重畳部１０３は、補助画像を重畳したことを示す付加データをＳＤＩ信号のアンシラリ領域に付加する。
【００１８】
表示装置２００は、アンシラリ検出部２０１、選択部２０２、輝度取得部２０３、バックライト制御部２０４、表示パネル部２０５、バックライト２０６及び入力端子２０７，２０８を備える。撮像装置１００の出力端子１０４と、表示装置２００の入力端子２０７とはＳＤＩケーブルで接続され、撮像装置１００の出力端子１０５と、表示装置２００の入力端子２０８はＳＤＩケーブルで接続される。このように、撮像装置１００と表示装置２００とは２本のＳＤＩケーブルで接続され、２つの独立した伝送経路で２つの映像データが伝送される。入力端子２０７には、撮像装置１００による撮像で得られた映像に補助画像が重畳された重畳映像の映像データ、又は撮像装置１００による撮像で得られた映像に補助画像が重畳されていない非重畳映像の映像データが入力される。また、入力端子２０８には、撮像装置１００による撮像で得られた映像に補助画像が重畳されていない非重畳映像の映像データが入力される。
【００１９】
撮像装置１００から伝送される映像データは、例えば、非圧縮のＲＡＷ形式の動画ストリームであってもよいし、ＭＰＥＧ（Ｍｏｖｉｎｇ  Ｐｉｃｔｕｒｅ  Ｅｘｐｅｒｔ  Ｇｒｏｕｐ）等の圧縮形式の動画ストリームであってもよい。
【００２０】
アンシラリ検出部２０１は、入力端子２０７から入力された映像データのアンシラリ領域の付加データを検出し、アンシラリ検出結果を選択部２０２へ送る。また、アンシラリ検出部２０１は、入力端子２０７から入力された映像データを表示パネル部２０５に出力する。表示パネル部２０５は、例えば、アンシラリ検出部２０１からの映像データに従って液晶を駆動し、映像データに基づく映像を画面に表示する液晶パネルである。
【００２１】
選択部２０２は、アンシラリ検出部２０１から送られたアンシラリ検出結果に基づいて、入力端子２０７から入力された映像データと、入力端子２０８から入力された映像データのいずれか一方を選択して、輝度取得部２０３に出力する。具体的には、入力端子２０７から入力された映像データに補助画像を重畳したことを示す付加データが検出された場合には、入力端子２０８から入力された補助画像が重畳されていない非重畳映像の映像データを選択して、輝度取得部２０３に出力する。また、入力端子２０７から入力された映像データに補助画像を重畳したことを示す付加データが検出されない場合には、入力端子２０７から入力された補助画像が重畳されていない非重畳映像の映像データを選択して、輝度取得部２０３に出力する。つまり、いずれの場合でも、選択部２０２は、補助画像が重畳されていない非重畳映像の映像データを選択する。
【００２２】
輝度取得部２０３は、選択部２０２で選択された、補助画像が重畳されていない非重畳映像の映像データに基づき、バックライト２０６の複数の制御領域に対応する画面の複数の分割領域の各々に対応する映像の輝度（最大輝度、又は平均輝度）情報を取得する。バックライト２０６は、複数の制御領域に分割されており、複数の制御領域に対応する複数の光源を備えており、制御領域毎に光源の発光量を制御するローカルディミングを行うことができるものとする。バックライト２０６は、複数の光源からの光を表示パネル部２０５に照射する。輝度取得部２０３は、選択部２０２で選択された、補助画像が重畳されていない非重畳映像の映像データに基づき、例えば、画面の各分割領域に対応する映像の輝度成分を抽出して、各分割領域に対応する映像の輝度情報を取得する。ただし、映像データのアンシラリ領域に、各分割領域に対応する映像の輝度（最大輝度、又は平均輝度）情報が付加されている場合は、輝度成分を抽出する必要は無い。
【００２３】
バックライト制御部２０４は、輝度取得部２０３により取得された各制御領域の輝度情報に基づき、各制御領域の光源の制御値を決定し、決定した制御値で各制御領域の光源を発光させ、表示パネル部２０５に光源からの光を照射させる。
【００２４】
なお、バックライト２０６は、制御領域が１つしかないグローバルディミングを行うものであってもよい。その場合、輝度取得部２０３は、選択部２０２選択部２０２で選択された、補助画像が重畳されていない非重畳映像の映像データに基づき、画面に表示される映像全体の輝度（最大輝度、又は平均輝度）情報を取得する。そして、バックライト制御部２０４は、輝度取得部２０３により取得された映像全体の輝度情報に基づき、複数の光源全ての制御値を決定し、決定した制御値で複数の光源全てを発光させる。
【００２５】
図２は、図１に示した表示システムの動作を説明するためのフローチャートである。図２（Ａ）は、撮像装置１００の動作を説明するためのフローチャートであり、図２（Ｂ）は、表示装置２００の動作を説明するためのフローチャートである。
【００２６】
撮像装置１００は、ユーザ指示に従って、電源オン状態となり、被写体の撮像を開始したタイミングで動作を開始する。まず、ステップＳ１００で、撮像装置１００は、図示しない操作部（ボタン）のユーザ操作に応じて、被写体の撮像により得られた映像にメニュー画面や合焦点枠などの補助画像（グラフィック画像）を重畳するか否かを判定する。重畳すると判定された場合は、ステップＳ１００からステップＳ１０１に進み、重畳しないと判定された場合は、ステップＳ１００からステップＳ１０２を省略して終了する。
【００２７】
ステップＳ１０１では、補助画像重畳部１０３は、画像処理部１０２からの映像データに補助画像を重畳した重畳映像の出力端子１０４に出力する。その際に、映像データのアンシラリ領域の付加データのデータビット値を１にする。データビット値１のときは、補助画像が重畳されていることを示し、データビット値０のときは、補助画像が重畳されていないことを示すものとする。補助画像重畳部１０３は、画像処理部１０２からの映像データに補助画像を重畳しない場合には、映像データのアンシラリ領域の付加データのデータビット値を０のままにする。
【００２８】
ステップＳ２００では、表示装置２００のアンシラリ検出部２０１は、入力端子２０７から入力された映像データのアンシラリ領域の付加データを検出する。そして、入力端子２０７から入力された映像データのアンシラリ領域の付加データのデータビット値が１の場合（補助画像が重畳されている場合）は、ステップＳ２００からステップＳ２０１に進む。また、データビット値が０の場合（補助画像が重畳されていない場合）は、ステップＳ２００からステップＳ２０２に進む。
【００２９】
ステップＳ２０１では、選択部２０２は、入力端子２０７からの補助画像が重畳された重畳映像の映像データと、入力端子２０８からの補助画像が重畳されていない非重畳映像の映像データのうち、入力端子２０８からの非重畳映像の映像データを選択する。ステップＳ２０２では、選択部２０２は、入力端子２０７からの補助画像が重畳されていない非重畳映像の映像データと、入力端子２０８からの補助画像が重畳されていない非重畳映像の映像データのうち、入力端子２０７からの映像データを選択する。つまり、いずれの場合でも、選択部２０２は、補助画像が重畳されていない非重畳映像の映像データを選択する。そして、選択部２０２は、選択した映像データを輝度取得部２０３に出力する。
【００３０】
ステップＳ２０３では、輝度取得部２０３は、選択部２０２で選択された補助画像が重畳されていない非重畳映像の映像データから輝度成分のみを抽出する。そして、抽出した非重畳映像の映像データの輝度成分から、バックライト２０６の複数の制御領域に対応する画面の複数の分割領域の各々に対応する映像の輝度（最大輝度、又は平均輝度）情報を取得する。最大輝度値を取得する場合は、画面の複数の分割領域の各々に対応する映像の輝度値の最大値を特定すればよい。平均輝度値を取得する場合は、画面の複数の分割領域の各々に対応する映像の各画素の輝度値を合算した後、画素数で割り算をすることで、平均輝度値を算出すればよい。
【００３１】
ステップＳ２０４では、バックライト制御部２０４は、輝度取得部２０３により取得された各分割領域に対応する映像の輝度（最大輝度、又は平均輝度）情報に基づき、各制御領域の光源の制御値を決定する。バックライト制御部２０４は、映像の輝度値と、光源の制御値（１周期毎の点灯期間と消灯期間との比を示すデューティ比等）とを対応付けたＬＵＴ（Ｌｏｏｋ  Ｕｐ  Ｔａｂｌｅ）を内部のメモリに予め保持している。そして、上記ＬＵＴを読み出して、輝度取得部２０３により取得された各分割領域の輝度値（最大輝度値、又は平均輝度値）に対応する制御値を決定する。ここでは、制御値が示すデューティ比が大きいほど、光源の発光量が大きくなるものとする。
【００３２】
ステップＳ２０５では、表示パネル部２０５は、アンシラリ検出部２０１からの補助画像が重畳された重畳映像の映像データに従って液晶を駆動し、重畳映像を画面に表示する。また、バックライト制御部２０４は、ステップＳ２０４で決定した制御値で各制御領域の光源を発光させる。
【００３３】
図３は、本実施の形態１による効果を説明するための図である。図３（Ａ）は、本発明を適用した場合の表示画面例を示す図であり、図３（Ｂ）は、本発明を適用しない場合の表示画面例を示す比較のための図である。本発明を適用しない場合は、図３（Ｂ）に例示しているように、メニューの補助画像（グラフィック画像）が明るいため、メニューの補助画像が表示される分割領域に対応するバックライト２０６の制御領域の光源の発光量が明るくなる。そのため、メニューの補助画像の周辺に黒浮きが発生している。また、撮像している映像が記録中であることを示す文字「ＲＥＣ」の補助画像（グラフィック画像）が明るいため、文字「ＲＥＣ」が表示される分割領域に対応するバックライト２０６の制御領域の光源の発光量が明るくなる。そのため、文字「ＲＥＣ」の補助画像の周辺に黒浮きが発生している。
【００３４】
しかし、本発明を適用した場合は、補助画像が重畳されていない非重畳映像の映像データに基づき、バックライト２０６の各制御領域の光源の発光量が制御される。このため、図３（Ａ）に例示しているように、メニューの補助画像の周辺にも、文字「ＲＥＣ」の補助画像の周辺にも、黒浮きが発生しない。
【００３５】
本実施の形態１によれば、撮像装置で補助画像が映像に重畳された場合に、表示装置は、補助画像が重畳された重畳映像を画面に表示しつつ、補助画像が重畳されていない非重畳映像の映像データに基づきバックライトの発光量を制御することができる。したがって、撮像装置で補助画像が映像に重畳された場合であっても、撮像装置で映像に重畳された補助画像に影響されずに、表示装置の光源の発光量を制御することが可能となる。
【００３６】
なお、バックライトの光源は、ＬＥＤ（Ｌｉｇｈｔ  Ｅｍｉｔｔｉｎｇ  Ｄｉｏｄｅ）を用いてもよいし、有機ＥＬ素子を用いてもよい。表示パネルは、液晶素子以外の素子（バックライトからの光の透過率を制御可能な素子）を有する表示パネルであってもよい。また、スクリーンに画像を投影する液晶プロジェクター等にも適用可能である。
【００３７】
また、動画像の映像データを伝送する場合について説明したが、静止画像の画像データを伝送する場合にも適用可能である。
【００３８】
（実施の形態２）
実施の形態１では、撮像装置１００と表示装置２００とが２本のＳＤＩケーブルで接続された表示システムの例を説明した。この実施の形態２では、撮像装置３００と表示装置４００とが１本のＳＤＩケーブルで接続された表示システムの例を説明する。
【００３９】
図４は、実施の形態２に係る表示システムの全体構成を示すブロック図である。図４において、図１と同一の構成要素ついては同一の符号を付し、その詳細な説明は繰り返さない。図４を参照して、図１と異なっている点は、撮像装置３００がαデータ付加部３０１を備えている点、表示装置４００の選択部４０１，輝度取得部４０２が表示装置２００の選択部２０２，輝度取得部２０３から置き換わっている点である。また、図１の出力端子１０５と入力端子２０８が削除されている。以下、実施の形態１との差分について詳細に説明する。
【００４０】
画像処理部１０２からαデータ付加部３０１へ、撮像で得られた映像に補助画像が重畳されていない非重畳映像の映像データ（ｙ，ｃｂ，ｃｒ，α）が入力される。また、補助画像重畳部１０３からからαデータ付加部３０１へ、撮像で得られた映像に補助画像が重畳された重畳映像の映像データ（ｙ’，ｃｂ’，ｃｒ’，α’）が入力される。ＳＭＰＴＥで定められた３Ｇ−ＳＤＩフォーマットでは、画素毎のＹ，Ｃｂ，Ｃｒの３チャンネルのデータ、又は画素毎のＲ，Ｇ，Ｂの３チャンネルのデータに、αチャンネルのデータを加えた、合計４チャンネルの映像データが伝送可能である。
【００４１】
αデータ付加部３０１は、重畳映像の映像データ（ｙ’，ｃｂ’，ｃｒ’，α’）のαチャンネルに、非重畳映像の映像データ（ｙ，ｃｂ，ｃｒ，α）の輝度データｙを付加する。この結果、αデータ付加部３０１から出力端子１０４へ、映像データ（ｙ’，ｃｂ’，ｃｒ’，ｙ）が出力される。
【００４２】
表示装置４００の入力端子２０７から、アンシラリ検出部２０１と選択部４０１に、撮像装置３００からＳＤＩケーブルを介して伝送された映像データ（ｙ’，ｃｂ’，ｃｒ’，ｙ）が入力される。また、アンシラリ検出部２０１から選択部４０１に、補助画像を重畳したことを示す付加データが検出されたか否かを示すアンシラリ検出結果が送られる。
【００４３】
選択部４０１は、アンシラリ検出部２０１から送られたアンシラリ検出結果に基づいて、Ｙチャンネルの輝度データｙ’と、αチャンネルの輝度データｙのいずれか一方を選択して、輝度取得部２０３に出力する。具体的には、入力端子２０７から入力された映像データに補助画像を重畳したことを示す付加データが検出された場合には、αチャンネルの輝度データｙを選択して、輝度取得部２０３に出力する。また、入力端子２０７から入力された映像データに補助画像を重畳したことを示す付加データが検出されない場合には、Ｙチャンネルの輝度データｙ’を選択して、輝度取得部２０３に出力する。
【００４４】
輝度取得部４０２は、選択部４０１で選択された輝度データ（ｙ又はｙ’）に基づき、バックライト２０６の複数の制御領域に対応する画面の複数の分割領域の各々に対応する映像の輝度（最大輝度、又は平均輝度）情報を取得する。
【００４５】
図５は、図４に示した表示システムの動作を説明するためのフローチャートである。図５において、図２と同一の動作ステップについては同一の符号を付し、その詳細な説明は繰り返さない。図５（Ａ）を参照して、図２（Ａ）と異なっている点は、ステップＳ３００が追加されている点である。図５（Ｂ）を参照して、図２（Ｂ）と異なっている点は、ステップＳ２０１−Ｓ２０３がステップＳ４００−Ｓ４０２に置き換わっている点である。以下、実施の形態１との差分について詳細に説明する。
【００４６】
ステップＳ３００では、αデータ付加部３０１は、重畳映像の映像データ（ｙ’，ｃｂ’，ｃｒ’，α’）のαチャンネルに、非重畳映像の映像データ（ｙ，ｃｂ，ｃｒ，α）の輝度データｙを付加する。この結果、αデータ付加部３０１から出力端子１０４へ、映像データ（ｙ’，ｃｂ’，ｃｒ’，ｙ）が出力される。
【００４７】
ステップＳ４００では、選択部４０１は、撮像装置３００からＳＤＩケーブルを介して伝送された映像データ（ｙ’，ｃｂ’，ｃｒ’，ｙ）のαチャンネルの輝度データｙを選択して、輝度取得部２０３に出力する。ステップＳ４０１では、選択部４０１は、撮像装置３００からＳＤＩケーブルを介して伝送された映像データ（ｙ’，ｃｂ’，ｃｒ’，ｙ）のＹチャンネルの輝度データｙ’を選択して、輝度取得部２０３に出力する。ステップＳ４０２では、輝度取得部４０２は、選択部４０１で選択された輝度データ（ｙ又はｙ’）に基づき、バックライト２０６の複数の制御領域に対応する画面の複数の分割領域の各々に対応する映像の輝度（最大輝度、又は平均輝度）情報を取得する。
【００４８】
図５（Ａ）（Ｂ）のステップＳ１００，Ｓ１０１，Ｓ２００，Ｓ２０４，Ｓ２０５の動作は、図２（Ａ）（Ｂ）のステップＳ１００，Ｓ１０１，Ｓ２００，Ｓ２０４，Ｓ２０５の動作と同様である。
【００４９】
本実施の形態２によれば、撮像装置で補助画像が映像に重畳された場合に、表示装置は、補助画像が重畳された重畳映像を画面に表示しつつ、補助画像が重畳されていない非重畳映像の輝度データに基づきバックライトの発光量を制御することができる。したがって、撮像装置で補助画像が映像に重畳された場合であっても、撮像装置で映像に重畳された補助画像に影響されずに、表示装置の光源の発光量を制御することが可能となる。
【００５０】
（実施の形態３）
実施の形態２では、αチャンネルに輝度データを付加する例を説明したが、αチャンネルを含む伝送フォーマットに限られていた。この実施の形態３では、αチャンネルを含まない伝送フォーマットでも、実施の形態２と同様の効果を得るための例について説明する。
【００５１】
図６は、実施の形態３に係る表示システムの全体構成を示すブロック図である。図６において、図４と同一の構成要素ついては同一の符号を付し、その詳細な説明は繰り返さない。図６を参照して、図４と異なっている点は、撮像装置５００のアンシラリデータ重畳部５０１が撮像装置３００のαデータ付加部３０１から置き変わっている点である。また、表示装置６００のアンシラリ検出部６０１と選択部６０２が表示装置４００のアンシラリ検出部２０１と選択部４０１から置き換わっている点も異なっている。以下、実施の形態２との差分について詳細に説明する。
【００５２】
画像処理部１０２からアンシラリデータ重畳部５０１へ、撮像で得られた映像に補助画像が重畳されていない非重畳映像の映像データが入力される。また、補助画像重畳部１０３からからアンシラリデータ重畳部５０１へ、撮像で得られた映像に補助画像が重畳された重畳映像の映像データが入力される。
【００５３】
アンシラリデータ重畳部５０１は、非重畳映像の有効映像範囲の輝度データを図示しない内蔵メモリに書き込んでから、各分割領域に対応する映像の輝度値（最大輝度または平均輝度値）を輝度情報（輝度データと呼んでもよい）として取得する。そして、アンシラリデータ重畳部５０１は、重畳映像の映像データのアンシラリ領域に、非重畳映像の有効映像範囲の輝度データから取得した各分割領域に対応する映像の輝度値（最大輝度または平均輝度値）を輝度情報として重畳する。非重畳映像の有効映像範囲の輝度データから取得した各分割領域に対応する映像の輝度値を輝度情報として重畳することで、重畳される１回当たりデータ量が少なくてすみ、有効映像領域よりも小さいアンシラリ領域に輝度情報を重畳することができる。なお、分割領域よりも小さい単位領域毎に、映像の輝度値を輝度情報として重畳してもよいし、分割領域よりも大きい単位領域毎に、映像の輝度値を輝度情報として重畳してもよい。アンシラリデータ重畳部５０１から出力端子１０４へ、重畳映像の映像データであって、そのアンシラリ領域に非重畳映像の有効映像範囲の輝度データが重畳された映像データが出力される。
【００５４】
表示装置６００の入力端子２０７から、アンシラリ検出部６０１と選択部６０２に、撮像装置５００からＳＤＩケーブルを介して伝送された映像データが入力される。アンシラリ検出部６０１は、入力端子２０７から入力された映像データのアンシラリ領域の付加データを検出し、補助画像を重畳したことを示す付加データが検出されたか否かを示すアンシラリ検出結果を選択部６０２へ送る。また、アンシラリ検出部６０１は、入力端子２０７から入力された映像データを表示パネル部２０５に出力する。アンシラリ検出部６０１は、補助画像を重畳したことを示す付加データ（データビット値が１）を検出した場合、重畳映像の映像データのアンシラリ領域に重畳された非重畳映像の輝度情報に基づき、疑似輝度データを生成して、選択部６０２へ送る。アンシラリ検出部６０１は、入力端子２０７から入力された映像データのアンシラリ領域の付加データのデータビット値が０の場合（補助画像が重畳されていない場合）は、疑似輝度データを生成しない。
【００５５】
選択部６０２は、アンシラリ検出部６０１からのアンシラリ検出結果に基づき、入力端子２０７からの映像データの有効映像範囲の輝度データと、アンシラリ検出部６０１で生成された疑似輝度データのいずれか一方を選択して、輝度取得部４０２に出力する。具体的には、入力端子２０７から入力された映像データに補助画像を重畳したことを示す付加データが検出された場合には、アンシラリ検出部６０１により生成された疑似輝度データを選択して、輝度取得部４０２に出力する。また、入力端子２０７からの映像データに補助画像を重畳したことを示す付加データが検出されない場合には、入力端子２０７からの補助画像が重畳されていない非重畳映像の映像データ有効映像範囲の輝度データを選択して、輝度取得部４０２に出力する。
【００５６】
図７は、図６に示した表示システムの動作を説明するためのフローチャートである。図７において、図５と同一の動作ステップについては同一の符号を付し、その詳細な説明は繰り返さない。図７（Ａ）を参照して、図５（Ａ）と異なっている点は、ステップＳ３００がステップＳ５００に置き換わっている点である。図７（Ｂ）を参照して、図５（Ｂ）と異なっている点は、ステップＳ４００がステップＳ６００，Ｓ６０１に置き換わり、ステップＳ４０１がステップＳ６０２に置き換わっている点である。以下、実施の形態２との差分について詳細に説明する。
【００５７】
ステップＳ５００では、アンシラリデータ重畳部５０１は、補助画像が重畳されていない非重畳映像の有効映像範囲の輝度データから、各分割領域に対応する映像の輝度値（最大輝度または平均輝度値）を輝度情報を取得する。そして、アンシラリデータ重畳部５０１は、重畳映像の映像データのアンシラリ領域に、非重畳映像の有効映像範囲の輝度データから取得した各分割領域に対応する映像の輝度値（最大輝度または平均輝度値）を輝度情報として重畳する。アンシラリデータ重畳部５０１から出力端子１０４へ、重畳映像の映像データであって、そのアンシラリ領域に非重畳映像の輝度情報が重畳された映像データが出力される。
【００５８】
図８は、補助画像が重畳されていない非重畳映像を表示させた画面例を示す図である。図８中の斜線部分の各分割領域は、ｍラインからｎラインまでの範囲がｒサンプル毎に分割されている。１グループからｐグループまでの各々の映像の輝度値（最大輝度値又は平均輝度値）が、輝度情報として、補助画像が重畳された重畳映像のアンシラリ領域に重畳される。図９は、補助画像が重畳されていない非重畳映像のｍラインからｎラインまでの映像データと、補助画像が重畳された重畳映像のｍライン目の映像データを説明するための図である。アンシラリデータ重畳部５０１は、非重畳映像のｍライン目からｎライン目までの映像データを内蔵するメモリに記録して、各ラインの有効映像範囲をｒサンプル毎の点線で囲んだｐ個のグループに分けて、各グループの輝度値を算出する。そして、アンシラリデータ重畳部５０１は、重畳映像のｍライン目のアンシラリ領域に、ｐ個のグループに分けた輝度情報であることを示すデータＩＤと、算出したｐ個のグループの輝度値（最大輝度値又は平均輝度値）を輝度情報として重畳する。重畳映像の映像データのｍ＋１ラインからｎラインまでのアンシラリ領域には何も重畳しない。ｎラインの次のラインｎ＋１ラインからまた同様の処理を行う。
【００５９】
ステップＳ６００では、アンシラリ検出部６０１は、重畳映像の映像データのアンシラリ領域に重畳された非重畳映像の輝度情報に基づき、疑似輝度データを生成する。ステップＳ６０１では、選択部６０２は、アンシラリ検出部６０１により非重畳映像の輝度情報に基づき生成された疑似輝度データを選択して、輝度取得部４０２に出力する。
【００６０】
図１０は、重畳映像の映像データのアンシラリ領域に重畳された非重畳映像の輝度情報に基づき、各ラインの疑似輝度データを生成する処理について説明するための図である。アンシラリ検出部６０１は、重畳映像のｍライン目の映像データのアンシラリ領域に重畳された、非重畳映像のｐ個の各グループの輝度値（最大輝度値又は平均輝度値）を、ｍ＋１ライン目からｎライン目までコピーすることで、疑似輝度データを生成する。アンシラリ検出部６０１で生成された疑似輝度データは、選択部６０２に送られる。
【００６１】
ステップＳ６０２では、選択部６０２は、入力端子２０７から入力された補助画像が重畳されていない非重畳映像の映像データの有効映像範囲の輝度データを選択して、輝度取得部４０２に出力する。
【００６２】
本実施の形態３によれば、αチャンネルを含まない伝送フォーマットでも、実施の形態２と同様の効果を得ることができる。具体的には、撮像装置で補助画像が映像に重畳された場合に、表示装置は、補助画像が重畳された重畳映像を画面に表示しつつ、補助画像が重畳されていない非重畳映像の輝度データに応じてバックライトの発光量を制御することができる。したがって、撮像装置で補助画像が映像に重畳された場合であっても、撮像装置で映像に重畳された補助画像に影響されずに、表示装置の光源の発光量を制御することが可能となる。
【００６３】
（実施の形態４）
ＳＭＰＴＥで定められているＳＤＩ伝送フォーマットにおいて、１つの映像データを分割して２本以上のＳＤＩケーブルで伝送する伝送フォーマットがある。そして、一部のケーブル（例えば１本のケーブル）だけを接続して、伝送された映像を簡易的に確認するユースケースがある。このようなユースケースに実施の形態３を適応した場合、好適な映像表示が行えない可能性がある。本実施の形態４では、１つの映像データを分割して２本以上のＳＤＩケーブルで伝送する伝送フォーマットを用いて、一部のケーブルのみを接続して映像データを伝送する場合であっても、好適な映像表示を行うことを可能にする。
【００６４】
図１１は、実施の形態４に係る表示システムの全体構成を示すブロック図である。図１１において、図６と同一の構成要素ついては同一の符号を付し、その詳細な説明は繰り返さない。図１１を参照して、図６と異なっている点は、撮像装置７００のアンシラリデータ重畳部７０１が撮像装置５００のアンシラリデータ重畳部５０１から置き変わっている点、デマルチプレクサ７０２が追加されている点である。また、表示装置８００にマルチプレクサが追加され、表示装置８００のアンシラリ検出部８０２が表示装置６００のアンシラリ検出部６０１から置き換わっている点、出力端子１０５と入力端子２０８が追加されている点も異なる。以下、実施の形態３との差分について詳細に説明する。
【００６５】
撮像装置７００と表示装置８００が２本のＳＤＩケーブルで接続され、１９２０×１０８０画素，フレームレート６０ｆｐｓの映像データが２本のＳＤＩケーブルで伝送される場合について説明。出力端子１０４と入力端子２０７に接続されたＳＤＩケーブルでデータストリームＤＳ１が伝送され、出力端子１０５と入力端子２０８に接続されたＳＤＩケーブルでデータストリームＤＳ２が伝送される。データストリームＤＳ１でＯＤＤラインの映像データが伝送され、データストリームＤＳ２でＥＶＥＮラインの映像データが伝送されるものとする。
【００６６】
画像処理部１０２からアンシラリデータ重畳部７０１へ、撮像で得られた映像に補助画像が重畳されていない非重畳映像の映像データが入力される。また、補助画像重畳部１０３からからアンシラリデータ重畳部７０１へ、撮像で得られた映像に補助画像が重畳された重畳映像の映像データが入力される。
【００６７】
アンシラリデータ重畳部７０１は、補助画像が重畳されていない非重畳映像のＯＤＤラインの輝度データを図示しない内蔵メモリに書き込んでから、各分割領域に対応する映像の輝度値（最大輝度または平均輝度値）を輝度情報として取得する。そして、アンシラリデータ重畳部７０１は、重畳映像のＯＤＤラインの映像データのアンシラリ領域に、非重畳映像のＯＤＤラインの輝度データから取得した各分割領域に対応する映像の輝度値（最大輝度または平均輝度値）を輝度情報として重畳する。非重畳映像のＯＤＤラインの輝度データから取得した各分割領域に対応する映像の輝度値を輝度情報として重畳することで、重畳される１回当たりデータ量が少なくてすみ、有効映像領域よりも小さいアンシラリ領域に輝度情報を重畳することができる。なお、分割領域よりも小さい単位領域毎に、映像の輝度値を輝度情報として重畳してもよいし、分割領域よりも大きい単位領域毎に、映像の輝度値を輝度情報として重畳してもよい。ＥＶＥＮラインの映像データについても同様に処理する。アンシラリデータ重畳部７０１からデマルチプレクサ７０２へ、重畳映像の映像データであって、そのアンシラリ領域に非重畳映像の輝度データが重畳された映像データが出力される。
【００６８】
デマルチプレクサ７０２は、アンシラリデータ重畳部７０１からの映像データを受け、周波数を１／２にして、ＯＤＤラインの映像データとＥＶＥＮラインの映像データとを分離する。そして、ＯＤＤラインの映像データをデータストリームＤＳ１として出力端子１０４に出力する。また、ＥＶＥＮラインの映像データをデータストリームＤＳ２として出力端子１０５に出力する。
【００６９】
撮像装置７００の出力端子１０４と表示装置８００の入力端子２０７とがＳＤＩケーブルで接続されている場合、表示装置８００の入力端子２０７からマルチプレクサ８０１に、ＯＤＤラインの映像データのデータストリームＤＳ１が入力される。また、撮像装置７００の出力端子１０５と表示装置８００の入力端子２０８とがＳＤＩケーブルで接続されている場合、表示装置８００の入力端子２０８かデマルチプレクサ８０１に、ＥＶＥＮラインの映像データのデータストリームＤＳ２が入力される。
【００７０】
マルチプレクサ８０１は、２本のＳＤＩケーブルが接続されているか否かを判定し、判定結果に基づいて、入力された映像データの多重化を行う。具体的には、２本のＳＤＩケーブルが接続されている場合、マルチプレクサ８０１は、ＯＤＤラインのデータストリームＤＳ１と、ＥＶＥＮラインのデータストリームＤＳ２とを多重化して、アンシラリ検出部８０２と選択部６０２へ出力する。また、いずれか１本のＳＤＩケーブルしか接続されていない場合、マルチプレクサ８０１は、ＯＤＤラインのデータストリームＤＳ１、又はＥＶＥＮラインのデータストリームＤＳ２を、多重化せずにそのままアンシラリ検出部８０２と選択部６０２へ出力する。
【００７１】
アンシラリ検出部８０２は、入力された映像データのＯＤＤラインとＥＶＥＮラインのアンシラリデータ領域に輝度データがあるかを検出する。そして、重畳映像のＯＤＤラインとＥＶＥＮラインの両方またはいずれか一方の映像データのアンシラリ領域に重畳された非重畳映像の輝度情報に基づき、ＯＤＤラインとＥＶＥＮラインの両方またはいずれか一方の疑似輝度データを生成する。
【００７２】
選択部８０３は、アンシラリ検出部８０２からのアンシラリ検出結果に基づき、入力端子２０７からの映像データの有効映像範囲の輝度データと、アンシラリ検出部８０２で生成された疑似輝度データのいずれか一方を選択して、輝度取得部４０２に出力する。具体的には、入力端子２０７から入力された映像データに補助画像を重畳したことを示す付加データが検出された場合には、アンシラリ検出部８０２により生成された疑似輝度データを選択して、輝度取得部４０２に出力する。また、入力端子２０７からの映像データに補助画像を重畳したことを示す付加データが検出されない場合には、入力端子２０７からの補助画像が重畳されていない非重畳映像の映像データ有効映像範囲の輝度データを選択して、輝度取得部４０２に出力する。
【００７３】
図１２は、図１１に示した表示システムの動作を説明するためのフローチャートである。図１２において、図７と同一の動作ステップについては同一の符号を付し、その詳細な説明は繰り返さない。図１２（Ａ）を参照して、図７（Ａ）と異なっている点は、ステップＳ５００がステップＳ７００，Ｓ７０１に置き換わっている点である。図１２（Ｂ）を参照して、図７（Ｂ）と異なっている点は、ステップＳ８００−Ｓ８０２が追加され、ステップＳ６００がステップＳ８０３−Ｓ８０５に置き換わっている点である。以下、実施の形態３との差分について詳細に説明する。
【００７４】
ステップＳ７００では、アンシラリデータ重畳部７０１は、補助画像が重畳されていない非重畳映像の有効映像範囲の輝度データから、各分割領域に対応する映像の輝度値を輝度情報を取得する。そして、アンシラリデータ重畳部７０１は、重畳映像のＯＤＤラインの映像データのアンシラリ領域に、非重畳映像のＯＤＤラインの輝度データから取得した各分割領域に対応する映像の輝度値（最大輝度または平均輝度値）を輝度情報として重畳する。アンシラリデータ重畳部７０１は、重畳映像のＥＶＥＮラインの映像データのアンシラリ領域に、非重畳映像のＥＶＥＮラインの輝度データから取得した各分割領域に対応する映像の輝度値（最大輝度または平均輝度値）を輝度情報として重畳する。アンシラリデータ重畳部７０１からデマルチプレクサ７０２へ、重畳映像の映像データであって、そのアンシラリ領域に非重畳映像の輝度情報が重畳された映像データが出力される。
【００７５】
図１３は、補助画像が重畳されていない非重畳映像のｍラインからｎラインまでの映像データと、補助画像が重畳された重畳映像のｍライン目とｍ＋１ライン目の映像データを説明するための図である。アンシラリデータ重畳部７０１は、非重畳映像のｍライン目からｎライン目までの映像データを内蔵するメモリに記録して、各ラインの有効映像範囲をｒサンプル毎の点線で囲んだｐ個のグループに分ける。そして、アンシラリデータ重畳部７０１は、ｐ個の各グループの輝度値（最大輝度値又は平均輝度値）を算出する。そして、アンシラリデータ重畳部５０１は、重畳映像のｍライン目のアンシラリ領域に、ｐ個のグループに分けたＯＤＤラインの輝度情報であることを示すデータＩＤと、ＯＤＤラインから算出したｐ個のグループの輝度値を輝度情報として重畳する。また、重畳映像のｍ＋１ライン目のアンシラリ領域に、ｐ個のグループに分けたＥＶＥＮラインの輝度情報であることを示すデータＩＤと、ＥＶＥＮラインから算出したｐ個のグループの輝度値を輝度情報として重畳する。重畳映像の映像データのｍ＋２ラインからｎラインまでのアンシラリ領域には何も重畳しない。ｎラインの次のラインｎ＋１ラインからまた同様の処理を行う。
【００７６】
ステップＳ７０１では、デマルチプレクサ７０２は、アンシラリデータ重畳部７０１からの映像データを受け、周波数を１／２にして、ＯＤＤラインの映像データとＥＶＥＮラインの映像データとを分離する。そして、ＯＤＤラインの映像データをデータストリームＤＳ１として出力端子１０４に出力する。また、ＥＶＥＮラインの映像データをデータストリームＤＳ２として出力端子１０５に出力する。
【００７７】
次に、ステップＳ８００では、表示装置８００のマルチプレクサ８０１は、２本のＳＤＩケーブルが接続されているか否かを判定する。メカ機構により各ケーブルの接続検知を行ってもよいし、各ケーブルを介して映像データが入力された否かを検出することを接続検知を行ってもよい。そして、２本のＳＤＩケーブルが接続されている場合は、ステップＳ８００からＳ８０１に進み、２本のＳＤＩケーブルが接続されていない場合は、ステップＳ８００からＳ８０２に進む。
【００７８】
ステップＳ８０１では、マルチプレクサ８０１は、ＯＤＤラインの映像データのデータストリームＤＳ１と、ＥＶＥＮラインの映像データのデータストリームＤＳ２とを多重化して、アンシラリ検出部８０２と選択部６０２へ出力する。ステップＳ８０２では、マルチプレクサ８０１は、ＯＤＤラインのデータストリームＤＳ１、又はＥＶＥＮラインのデータストリームＤＳ２のいずれか受信した方を、多重化せずにそのままアンシラリ検出部８０２と選択部６０２へ出力する。
【００７９】
次に、ステップＳ２００では、アンシラリ検出部８０２は、入力端子２０７から入力された映像データのアンシラリ領域の付加データを検出する。そして、入力端子２０７から入力された映像データのアンシラリ領域の付加データのデータビット値が１の場合（補助画像が重畳されている場合）は、ステップＳ２００からステップＳ８０３に進む。また、データビット値が０の場合（補助画像が重畳されていない場合）は、ステップＳ２００からステップＳ６０２に進む。
【００８０】
ステップＳ８０３では、アンシラリ検出部８０２は、入力された映像データのＯＤＤラインとＥＶＥＮラインの両方のアンシラリデータ領域に輝度データがあるかを検出する。そして、入力された映像データのＯＤＤラインとＥＶＥＮラインの両方のアンシラリデータ領域に輝度データがある場合は、ステップＳ８０３からステップＳ８０４に進む。また、入力された映像データのＯＤＤラインとＥＶＥＮラインのいずれか一方のアンシラリデータ領域にだけ輝度データがある場合は、ステップＳ８０３からステップＳ８０５に進む。
【００８１】
ステップＳ８０４では、アンシラリ検出部８０２は、重畳映像のＯＤＤラインとＥＶＥＮラインの映像データのアンシラリ領域に重畳された非重畳映像の輝度情報に基づき、ＯＤＤラインとＥＶＥＮラインの疑似輝度データを生成する。
【００８２】
図１４は、重畳映像のＯＤＤラインとＥＶＥＮラインの映像データのアンシラリ領域に重畳された非重畳映像の輝度情報（最大輝度値又は平均輝度値）に基づき、ＯＤＤラインとＥＶＥＮラインの疑似輝度データを生成する処理について説明するための図である。アンシラリ検出部８０２は、重畳映像のｍライン目のＯＤＤラインの映像データのアンシラリ領域に重畳された、非重畳映像のｐ個の各グループの輝度値を、ｍ＋２ライン目から１ラインおきにｎ−１ライン目までコピーする。このようにして、ＯＤＤラインの疑似輝度データが生成される。また、重畳映像のｍ＋１ライン目のＥＶＥＮラインの映像データのアンシラリ領域に重畳された、非重畳映像のｐ個の各グループの輝度値を、ｍ＋３ライン目から１ラインおきにｎライン目までコピーする。このようにして、ＥＶＥＮラインの疑似輝度データが生成される。アンシラリ検出部８０２で生成されたＯＤＤラインとＥＶＥＮラインの疑似輝度データは、選択部８０３に送られる。
【００８３】
ステップＳ８０５では、アンシラリ検出部８０２は、重畳映像のＯＤＤラインとＥＶＥＮラインのいずれか一方のアンシラリ領域に重畳された、非重畳映像の輝度情報に基づき、ＯＤＤラインとＥＶＥＮラインのいずれか一方の疑似輝度データを生成する。
【００８４】
次に、ステップＳ６０１では、選択部８０３は、アンシラリ検出部８０２により非重畳映像の輝度情報に基づき生成された疑似輝度データを選択して、輝度取得部４０２に出力する。
【００８５】
ステップＳ６０２では、選択部８０３は、入力端子２０７から入力された補助画像が重畳されていない非重畳映像の映像データの有効映像範囲の輝度データを選択して、輝度取得部４０２に出力する。
【００８６】
本実施の形態４によれば、１つの映像データを分割して２本以上のＳＤＩケーブルで伝送する伝送フォーマットを用いて、一部のケーブルのみを接続して映像データを伝送する場合であっても、好適な映像表示を行うことができる。具体的には、例えば、ＯＤＤラインのみのインターレースの映像データが入力された場合には、ＯＤＤラインのみ映像を表示してＯＤＤラインの輝度データから生成された輝度情報に基づきバックライトの発光量を制御することができる。なお、ここでは、ＯＤＤライン，ＥＶＥＮラインで伝送経路を分ける場合について説明したが、ＯＤＤフレーム，ＥＶＥＮフレームで伝送経路を分けて、ケーブル１本で半分のフレームレートの映像データを伝送してもよい。また、４Ｋ等の高解像度の映像データを、画面表示エリア毎に分割（例えば右半分と左半分に分割）して伝送経路を分ける場合にも本発明を適用できる。
【００８７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。上記コンピュータは、例えば、ＣＰＵやＭＰＵ等のプロセッサーで構成される。また、１以上の機能を実現する回路（例えば、ＡＳＩＣ）によっても実現可能である。上述の実施形態の１以上の機能を実現するためのコンピュータプログラム自体も本発明の一つである。
【符号の説明】
【００８８】
１００  撮像装置
１０１  撮像部
１０２  画像処理部
１０３  補助画像重畳部
１０４，１０５  出力端子
２００  表示装置
２０１  アンシラリ検出部
２０２  選択部
２０３  輝度取得部
２０４  バックライト制御部
２０５  表示パネル部２０５
２０６  バックライト
２０７，２０８  入力端子
【図１】
2018072760.tif 000003
【図２】
2018072760.tif 000004
【図３】
2018072760.tif 000005
【図４】
2018072760.tif 000006
【図５】
2018072760.tif 000007
【図６】
2018072760.tif 000008
【図７】
2018072760.tif 000009
【図８】
2018072760.tif 000010
【図９】
2018072760.tif 000011
【図１０】
2018072760.tif 000012
【図１１】
2018072760.tif 000013
【図１２】
2018072760.tif 000014
【図１３】
2018072760.tif 000015
【図１４】
2018072760.tif 000016